(57)【要約】【課題】野外の風景をリアルに表示するとともに、実際の窓から伝搬する野外の音を確実に再現して、臨場感の高い野外の音を再生することが可能な擬似窓及びこの擬似窓を有する壁を提供する。【解決手段】壁Ｂに一体に設けた画像表示装置５で野外の風景画像を表示させ、この野外の風景画像を室内４の体験者Ｍが見ることによって、体験者Ｍに実際の野外の風景を窓から眺めているような擬似体験をさせるための擬似窓Ａであって、野外の風景画像に応じた野外の音Ｓを擬似的に発する音響発生装置６を備え、この音響発生装置６が発する音Ｓの指向軸Ｏ１を画像表示装置５の風景画像を表示する表示部５ａに向けて音響発生装置６を配置する。【選択図】図１
2009102830.tif 000002
【特許請求の範囲】
【請求項１】
壁に一体に設けた画像表示装置で野外の風景画像を表示させ、該野外の風景画像を室内の体験者が見ることによって、前記体験者に実際の野外の風景を窓から眺めているような擬似体験をさせるための擬似窓であって、
前記野外の風景画像に応じた野外の音を擬似的に発する音響発生装置を備え、該音響発生装置が発する音の指向軸を前記画像表示装置の前記風景画像を表示する表示部に向けて前記音響発生装置が配置されていることを特徴とする擬似窓。
【請求項２】
請求項１記載の擬似窓において、
前記画像表示装置及び前記音響発生装置の室内側に開閉可能で開口部に透明板を用いた窓枠を備えていることを特徴とする擬似窓。
【請求項３】
請求項１または請求項２に記載の擬似窓を備えたことを特徴とする擬似窓を有する壁。
【発明の詳細な説明】
【技術分野】
【０００１】
本発明は、例えば、工場、発電所等のプラントの中央制御室や会議室等の閉鎖性の高い室や野外の眺望が限定される居室などの壁に設けられる擬似窓及び擬似窓を有する壁に関する。
【背景技術】
【０００２】
従来、例えば、工場、発電所のプラントの中央制御室や会議室などの静粛性の確保や秘密漏洩に対する防御などを目的に窓を設けることができなかったり、物理的に窓を設けることができない地下室や病院の待合室、日当たりの悪い部屋などの閉鎖性の高い室においては、壁に擬似窓を設置して室内の人間に心理的な悪影響が生じることを防止するようにしている。すなわち、この擬似窓に表示した野外の風景画像などを室内の人間（体験者）が見ることで、あたかも実際の窓越しに野外の風景を眺めているような擬似体験をさせ、これにより、閉鎖性の高い室内の人間に対し開放感や安らぎを与え、集中力の低下や眠気、くつろぎの不足などの心理的な悪影響を軽減するようにしている。
【０００３】
この種の擬似窓には、例えば特許文献１に開示されるような、窓や風景を描いた擬似窓形成用フィルムを壁面に貼り付けて形成したものがある。また、例えば特許文献２に開示されるような、周縁部分を構成する窓枠部を木枠や金属枠で形成し、この窓枠部の開口部に、野外の風景などの動画像（あるいは静止画像）を表示する薄型で平面型の画像表示装置を保持させて構成したものがある。そして、擬似窓形成用フィルムで形成した擬似窓においては、室内の人間が常時変わらぬ静止画像を見ることになるため、違和感が生じやすく開放感や安らぎを与える効果が低いのに対し、画像表示装置で動画像を表示できる擬似窓においては、臨場感のある（よりリアルな）風景画像が表示されるため、大きな心理的効果を得ることができる。
【０００４】
一方、例えば特許文献３に開示されるような、組立窓枠に風景写真を組み込み、組立窓枠を嵌め込む窓外枠の一部に、音声スイッチ並びに芳香スイッチ、及び数個の色彩別にスイッチを有する発光体を配置して構成したものもある。この擬似窓においては、野外の風景が静止画像で表示されることになるが、森林浴の芳香の放出、小鳥のさえずりあるいは小川のせせらぎ等の音響、及び景色に即した色彩照明等によって、自然に近いリアルな情景を浮き出させることができ、これにより、室内の人間に対する心理的効果を高めることを可能にしている。また、特許文献３の第３図に示されるように、擬似窓扉を設けることで、より実際の窓に近づけ、心理的効果を高めることができる。
【０００５】
そして、上記の特許文献２に開示された擬似窓に、特許文献３に開示された擬似窓が備える音声スイッチ（音響発生装置）や擬似窓扉などを適用して、リアルな画像に加え、この画像に応じた小鳥のさえずりあるいは小川のせせらぎ等の音響を室内の人間に体験させるようにすることで、より実際の窓に近づけ、より大きな心理的効果を得ることが可能になる。
【特許文献１】特開２００３−７４１７７号公報
【特許文献２】特開平９−２０５６０２号公報
【特許文献３】実用新案登録第３０６９７６０号公報
【発明の開示】
【発明が解決しようとする課題】
【０００６】
ところで、実際の窓１では、例えば図６に示すように、窓周囲の壁２が窓枠（窓サッシ）３より十分に高い遮音性能を持つ場合に、野外の音Ｓが窓１の開口部１ａを介して室４内に伝搬し、室内４の人間（体験者）Ｍは、窓面の野外側から室内４に伝搬してきた野外の音Ｓを聞くことになる。
【０００７】
これに対し、特許文献２に開示された擬似窓に、特許文献３に開示されるような音響発生装置を備えた場合には、例えば図７に示すように、画像表示装置５で表示した画像の妨げにならないように、音響発生装置（スピーカ）６を画像表示装置５の周囲もしくは壁面２ａまたは窓枠３に設置することが必要になる。また、音響発生装置６から発した音Ｓの明瞭性を確保するためにその指向軸Ｏ１を室内４に向けて音響発生装置６が設置される。そして、このように音響発生装置６を設置した場合には、野外の音Ｓが画像表示装置５と同じ平面もしくは画像表示装置５より室内４側で再生され、再生した音（野外の音、再生音）Ｓが直接的に室内４に伝搬するため、窓面の野外側から聞こえる音Ｓを再現することができず、室内４の人間Ｍが画像表示装置５で表示した野外の風景画像と再生音Ｓとの間に違和感を覚えるという不都合が生じる。
【０００８】
また、サラウンド技術により野外の音Ｓに包まれた感覚を室内４の人間Ｍに提供して、臨場感を高め、さらに心理的効果を高めるようにすることも考えられるが、上記のように音響発生装置６が設置され、野外の音Ｓが画像表示装置５と同じ平面もしくは画像表示装置５より室内４側で再生された場合には、室内４の人間Ｍがあたかも野外にいるかのように感じてしまい、画像表示装置５で表示した野外の風景画像と再生音Ｓとの間の違和感が大きくなって、逆に臨場感を損なうことになってしまう。
【０００９】
本発明は、上記事情に鑑み、野外の風景をリアルに表示するとともに、実際の窓から室内に伝搬する野外の音を確実に再現して、臨場感の高い野外の音を再生することが可能な擬似窓及びこの擬似窓を有する壁を提供することを目的とする。
【課題を解決するための手段】
【００１０】
上記の目的を達するために、この発明は以下の手段を提供している。
【００１１】
本発明の擬似窓は、壁に一体に設けた画像表示装置で野外の風景画像を表示させ、該野外の風景画像を室内の体験者が見ることによって、前記体験者に実際の野外の風景を窓から眺めているような擬似体験をさせるための擬似窓であって、前記野外の風景画像に応じた野外の音を擬似的に発する音響発生装置を備え、該音響発生装置が発する音の指向軸を前記画像表示装置の前記風景画像を表示する表示部に向けて前記音響発生装置が配置されていることを特徴とする。
【００１２】
この発明においては、音の指向軸を画像表示装置の表示部に向けて音響発生装置が配置されていることによって、この音響発生装置が発した音が画像表示装置の表示部で反射し、この反射した音（反射音）を室内に伝搬させることができる。そして、このように反射音を室内に伝搬させることによって、画像表示装置の表示部（表示面、反射面）を対称面として画像表示装置の裏側に配置した音響発生装置から発した音が擬似窓を透過したかのようにして、音響発生装置で発した音を室内に伝搬させることができる。すなわち、画像表示装置の表示部を対称面として音響発生装置の鏡像が生じ、あたかも画像表示装置の裏側に存在する音響発生装置から発したかのように、音響発生装置から発した音を室内に伝搬させることができる。これにより、室内側に音響発生装置を設置した場合においても、この音響発生装置で発する音で実際の窓の開口部を通じて室内に伝搬する野外の音を確実に再現することが可能になる。
【００１３】
また、本発明の擬似窓においては、前記画像表示装置及び前記音響発生装置の室内側に開閉可能で開口部に透明板を用いた窓枠を備えていることが望ましい。
【００１４】
この発明においては、窓枠が閉まっているときに、音響発生装置から発生する音がガラス又は樹脂製の透明板を透過することによって減衰し、室内の体験者には、この音響発生装置から発生する音があたかも閉めた状態の窓から聞こえる野外の音のように聞こえる。一方、窓枠を開けた場合には、音響発生装置から発生して画像表示装置の表示部で反射した音が直接室内に伝搬するため、室内の体験者には、この音響発生装置から発する音があたかも開けた状態の窓から聞こえる野外の音のように聞こえる。これにより、窓枠の開閉によって実際の窓から室内に伝搬する野外の音をよりリアルに再現することが可能になる。
【００１５】
本発明の擬似窓を有する壁は、上記の擬似窓を備えたことを特徴とする。
【００１６】
この発明においては、上記の擬似窓の作用効果を奏する壁を提供することが可能になる。
【発明の効果】
【００１７】
本発明の擬似窓及び擬似窓を有する壁によれば、室内側に音響発生装置を設置した場合においても、この音響発生装置で発する音で実際の窓の開口部を通じて室内に伝搬する野外の音を確実に再現することが可能になるため、室内の体験者に、音響発生装置で発した音を擬似窓の裏側から伝搬してきた野外の音として体験させることができる。これにより、体験者に、より臨場感の高い自然な音を提供することが可能になり、画像表示装置で表示した風景画像と音響発生装置で発した音との間の違和感を確実に解消することが可能になる。よって、室内の体験者にあたかも実際の窓越しに野外の風景を眺めているような擬似体験を確実にさせることができ、開放感や安らぎを与え、集中力の低下や眠気、くつろぎの不足などの心理的な悪影響を確実に軽減することが可能になる。
【発明を実施するための最良の形態】
【００１８】
以下、図１及び図２を参照し、本発明の一実施形態に係る擬似窓及びこれを有する壁について説明する。本実施形態は、例えば、工場、発電所等のプラントの中央制御室や会議室等の閉鎖性の高い室や野外の眺望が限定される居室の壁に設けられる擬似窓及びこれを有する壁に関するものである。
【００１９】
本実施形態の擬似窓Ａは、図１に示すように、画像表示装置５と音響発生装置６とを備えて構成され、隙間を空けて並設した二重壁（内壁Ｂ１と外壁Ｂ２）Ｂの室内４側の内壁Ｂ１に組み込んで設けられている。また、画像表示装置５と音響発生装置６には、例えばＤＶＤプレーヤー等の図示せぬ再生装置が繋げられており、この再生装置で再生した野外の風景画像が画像表示装置５の表示部５ａに動画像（あるいは静止画像）として表示され、この野外の風景画像に応じた小鳥のさえずりあるいは小川のせせらぎ等の野外の音（音響）Ｓが音響発生装置６から擬似的に発せられる。
【００２０】
また、本実施形態において、画像表示装置５は、例えば液晶ディスプレイあるいはプラズマディスプレイなどの薄型の画像表示装置であり、内壁Ｂ１に形成した開口部Ｂ３を外壁Ｂ２に向けて延出させるように一端を内壁Ｂ１の開口部Ｂ３を形成する内周縁に固定して支持された矩形筒状の支持枠部材（窓枠）３の他端に取り付けて支持されている。すなわち、本実施形態の擬似窓Ａは、いわゆる出窓形式の擬似窓であって、一端を内壁Ｂ１に繋げた状態で二重壁Ｂの間の隙間に配置された支持枠部材３の他端に支持されることによって、この二重壁Ｂの間の隙間に画像表示装置５が配置されている。また、このとき、画像表示装置５は、室内４の体験者Ｍが内壁Ｂ１の開口部Ｂ３を室内４側から見た際に、表示部５ａで表示した野外の風景画像がこの内壁Ｂ１の開口部Ｂ３全面に表示されるように、表示部５ａを室内４側に向けて設置されている。
【００２１】
一方、本実施形態の音響発生装置６は、例えばスピーカであり、支持枠部材３の両側壁部３ａのそれぞれの内側に支持されて設けられ、これにより、左右一対の音響発生装置６は、画像表示装置５の表示部５ａで表示した野外の風景画像の妨げにならないように設置されている。また、このとき、左右の音響発生装置６はそれぞれ、発する音Ｓの指向軸Ｏ１を画像表示装置５の表示部５ａに向けて設置されている。すなわち、各音響発生装置６は、指向軸Ｏ１が画像表示装置５の表示部（表示面）５ａに交差するようにして設置されている。なお、図１では左右の音響発生装置６が内壁Ｂ１の開口部Ｂ３に露出するように図示しているが、本実施形態の出窓形式の擬似窓Ａの場合には、音響発生装置６を支持枠部材３（側壁部３ａなどの周壁部）に埋設させることによって、確実に野外の風景画像の妨げにならないように設置することが可能であり、このように設置することがより望ましい。
【００２２】
ついで、上記の擬似窓Ａ及びこの擬似窓Ａを有する壁Ｂの作用及び効果について説明する。
【００２３】
本実施形態においては、再生装置によって野外の風景画像を再生すると画像表示装置５の表示部５ａに（擬似窓Ａに）野外の風景画像が表示される。そして、室内４の人間（体験者Ｍ）が、この画像表示装置５の表示部５ａに表示した野外の風景画像を室内４から見ることで、あたかも実際の窓越しに野外の風景を眺めているような擬似的な体験をすることになる。
【００２４】
また、このように、画像表示装置５で野外の風景画像を表示するとともに、この野外の風景画像に応じた小鳥のさえずりあるいは小川のせせらぎ等の音（音響）Ｓが音響発生装置６から発せられる。
【００２５】
ここで、従来の擬似窓のように、音響発生装置６を、発する音Ｓの指向軸Ｏ１を室内４側に向けた状態で画像表示装置５の周囲もしくは壁面または窓枠に設置した場合には、野外の音Ｓが画像表示装置５と同じ平面もしくは画像表示装置５より室内４側で再生され、直接的に室内４に再生音Ｓが伝搬してしまい、窓面の裏側から聞こえる実際の野外の音を再現できず、室内４の体験者Ｍが画像表示装置５で表示した野外の風景画像とこの再生音Ｓとの間に違和感を覚えるという不都合が生じてしまう。
【００２６】
これに対し、本実施形態の擬似窓Ａにおいては、図１に示すように、音響発生装置６がその指向軸Ｏ１を画像表示装置５の表示部５ａに向けて設置されているため、音響発生装置６から発した音Ｓが画像表示装置５の表示部（表示面）５ａで反射し、この反射した音（反射音）Ｓが室内４に伝搬することになる。
【００２７】
そして、このように反射音Ｓを室内４に伝搬させることによって、図２に示すように、画像表示装置５の表示部（表示面、反射面）５ａを対称面として画像表示装置５の裏側に音響発生装置の鏡像６’が生じ、あたかも画像表示装置５の裏側に配置した音響発生装置６’から発した音Ｓが画像表示装置５（擬似窓Ａ）を透過したかのようにして、音響発生装置６で発した音Ｓが室内４に伝搬する。これにより、室内４側に音響発生装置６を配置した場合においても、室内４の体験者Ｍにとっては、音響発生装置６で発した音Ｓが擬似窓Ａの裏側から伝搬してきた音Ｓとして聞こえることになり、実際の窓において開口部を通じて室内４に伝搬する野外の音Ｓが確実に再現されることになる。よって、室内４の体験者Ｍは、画像表示装置５の表示部５ａで表示した野外の風景画像を見つつ、この野外の風景画像に対して違和感のない音Ｓを聞くことで、臨場感の高い体験をすることになる。
【００２８】
また、本実施形態のように支持枠部材３の左右の側壁部３ａ側にそれぞれ音響発生装置６を配置して、これら音響発生装置６でステレオ録音された野外の音を再生させた場合においても、音響発生装置６で発した左右２チャンネルの音Ｓを反射させ、この反射音Ｓを室内４に伝搬させることによって、室内４の体験者Ｍに擬似窓Ａを透過したかのようなステレオ音声を提供し、これによって室内４の体験者Ｍがより臨場感の高い体験をすることになる。
【００２９】
したがって、本実施形態の擬似窓Ａ及びこの擬似窓Ａを有する壁Ｂにおいては、音Ｓの指向軸Ｏ１を画像表示装置５の表示部５ａに向けて音響発生装置６が配置されていることによって、画像表示装置５の表示部５ａを対称面として音響発生装置の鏡像６’が生じ、あたかも画像表示装置５の裏側に存在する音響発生装置６’から発したかのように、音響発生装置６から発した音Ｓを室内４に伝搬させることができる。これにより、室内４側に音響発生装置６を設置した場合においても、この音響発生装置６で発する音Ｓで実際の窓の開口部を通じて室内４に伝搬する野外の音を確実に再現することが可能になる。
【００３０】
これにより、室内４の体験者Ｍに、音響発生装置６で発した音Ｓを擬似窓Ａの裏側から伝搬してきた野外の音として体験させることができ、より臨場感の高い自然な音を提供することが可能になって、画像表示装置５で表示した風景画像と音響発生装置６で発した音Ｓとの間の違和感を確実に解消することが可能になる。よって、室内４の体験者Ｍにあたかも実際の窓越しに野外の風景を眺めているような擬似体験を確実にさせることが可能になり、開放感や安らぎを与え、集中力の低下や眠気、くつろぎの不足などの心理的な悪影響を確実に軽減することが可能になる。
【００３１】
以上、本発明に係る擬似窓及びこの擬似窓を有する壁の実施形態について説明したが、本発明は上記の一実施形態に限定されるものではなく、その趣旨を逸脱しない範囲で適宜変更可能である。例えば、本実施形態では、擬似窓Ａを有する壁Ｂが二重壁であり、且つ擬似窓Ａが出窓形式の擬似窓であるものとしたが、例えば一つの壁に擬似窓Ａ（画像表示装置５、支持枠部材３、音響発生装置６）を埋設して構成してもよく、また、集中制御室を例示した図３のように、室内スペースを区画する仕切壁Ｂに本発明に係る擬似窓Ａを設けてもよい。
【００３２】
また、本実施形態では、音響発生装置６が、支持枠部材（窓枠）３の両側壁部３ａのそれぞれの内側に支持されて設けられているものとしたが、本発明に係る音響発生装置６は、画像表示装置５の表示部５ａで表示した野外の風景画像の妨げにならないように設置され、且つ発する音Ｓの指向軸Ｏ１を画像表示装置５の表示部５ａに向けて設置されていればよいのであって、例えば図４及び図５に示すように、支持枠部材３の下部３ｂの内側に支持させて設置されていてもよい。この場合においても、音響発生装置６の指向軸Ｏ１を画像表示装置５の表示部５ａに向けて設置することで、本実施形態と同様に、発した音の反射音Ｓを室内４に伝搬させることができ、これにより、音響発生装置６で発する音Ｓで実際の窓の開口部を通じて室内４に伝搬する野外の音を確実に再現することが可能になる。
【００３３】
さらに、本実施形態では、内壁Ｂ１の開口部Ｂ３と室内４とが常時連通するように擬似窓Ａが形成されているものとしたが、例えば内壁Ｂ１に沿って設けるスライド式、あるいは内壁Ｂ１の延長上で画像表示装置５の向かいにいわゆる観音開き式などの態様で、画像表示装置５及び音響発生装置６の室内４側に開閉可能で開口部にガラス又は樹脂製の透明板を用いた窓枠を設け、この窓枠を備えて擬似窓Ａが構成されていてもよい。そして、この場合、窓枠が閉まっているときには、音響発生装置６から発生する音Ｓが窓枠を透過することによって減衰し、室内４の体験者Ｍには、この音響発生装置６から発生する音Ｓがあたかも閉めた状態の窓から聞こえる野外の音のように聞こえる。また、このとき、ガラスあるいは樹脂製の透明板を用いて開口部を形成しておくことで、窓枠が閉まっている場合においても、室内４の体験者Ｍが窓枠を通して画像表示装置５の画像を見ることができる。一方、窓枠を開けた場合には、音響発生装置６から発生して画像表示装置５の表示部５ａで反射した音Ｓが直接室内４に伝搬するため、室内４の体験者Ｍには、この音響発生装置６から発する音Ｓがあたかも開けた状態の窓から聞こえる野外の音のように聞こえる。これにより、窓枠の開閉によって実際の窓から室内に伝搬する野外の音をよりリアルに再現することが可能になる。
【図面の簡単な説明】
【００３４】
【図１】本発明の一実施形態に係る擬似窓及びこれを有する壁を示す平断面図である。
【図２】本発明の一実施形態に係る擬似窓の音響発生装置で発した音の反射音が、画像表示装置の裏側から発した音のように室内に伝搬する状態を示す図である。
【図３】本発明の一実施形態に係る擬似窓を有する壁の変形例を示す図である。
【図４】本発明の一実施形態に係る擬似窓の変形例を示す平断面図である。
【図５】図４の擬似窓の縦断面図である。
【図６】実際の窓を通じて野外の音が室内に伝搬する状態を示す図である。
【図７】従来の擬似窓及びこれを有する壁を示す平断面図である。
【符号の説明】
【００３５】
３      支持枠部材（窓枠）
４      室内
５      画像表示装置
５ａ    表示部（表示面、反射面）
６      音響発生装置（スピーカ）
６’    音響発生装置の鏡像
Ａ      擬似窓
Ｂ      二重壁（壁）
Ｂ１    内壁
Ｂ２    外壁
Ｂ３    開口部
Ｏ１    指向軸
Ｍ      人間（体験者）
Ｓ      音
【図１】
2009102830.tif 000003
【図２】
2009102830.tif 000004
【図３】
2009102830.tif 000005
【図４】
2009102830.tif 000006
【図５】
2009102830.tif 000007
【図６】
2009102830.tif 000008
【図７】
2009102830.tif 000009